(57)【要約】      （修正有）【課題】循環器の径方向への変位を避けることができるナット及びそれを使用したボールねじ装置を提供する。【解決手段】ナット本体２１を軸方向の端部から観た場合、組立スロット２１５のナット本体における径方向に沿った断面の形状は、幅狭部と、幅狭部よりも幅が広い幅広部とが形成される形状をしている。循環器２２は、ナット本体の組立スロットにおいて、循環器の形状が組立スロットの形状に対応するものであり、且つ循環器の内環壁２１３に面する側にはガイドスロット２２１が形成され、ガイドスロットとボールスロット２１４でボール循環チャネルを形成する。【選択図】図２
0003234523.tif 000002
【実用新案登録請求の範囲】
【請求項１】
ナット本体と、循環器とを備えたナットであって、
前記ナット本体は、内環壁と、ボールスロットと、組立スロットとを備え、
前記ボールスロットは、前記内環壁に環状に設けられ、
前記組立スロットは、前記内環壁の軸方向に沿って設けられ、且つ前記ナット本体の軸方向における二つの端部を貫通し、
前記ナット本体を軸方向の端部から観た場合、前記組立スロットの前記ナット本体における径方向に沿った断面の形状は、前記内環壁側に位置する幅狭部と、前記幅狭部よりも幅が広く且つ前記幅狭部よりも前記内環壁から離れた側に位置する幅広部とにより形成され、
前記循環器は、前記ナット本体の前記組立スロットにおいて、前記循環器の形状が前記組立スロットの形状に対応するものであり、且つ前記循環器の前記内環壁に面する側にはガイドスロットが形成され、
前記ガイドスロットと前記ボールスロットでボール循環チャネルを形成する
ことを特徴とするナット。
【請求項２】
前記循環器は径方向に沿った断面の形状が酒瓶の形状、Ｔ字型を逆さにした形状、又は鳩の尻尾の形状である
ことを特徴とする請求項１に記載のナット。
【請求項３】
前記循環器は、前記ナット本体の前記組立スロットに接着剤で固定される
ことを特徴とする請求項１に記載のナット。
【請求項４】
ねじと、ナットを備えたボールねじ装置であって、
前記ねじは、レールスロットを備え、
前記ナットは、前記ねじに回転可能に取り付けられ、
前記ナットは、
ナット本体と、循環器と、複数のボールとを備え、
前記ナット本体は、内環壁と、ボールスロットと、組立スロットとを備え、
前記ボールスロットは、前記内環壁に環状に設けられ、
前記組立スロットは、前記内環壁の軸方向に沿って設けられ、且つ前記ナット本体の軸方向における二つの端部を貫通し、
前記ナット本体を軸方向の端部から観た場合、前記組立スロットの前記ナット本体における径方向に沿った断面の形状は、前記内環壁側に位置する幅狭部と、前記幅狭部よりも幅が広く且つ前記幅狭部よりも前記内環壁から離れた側に位置する幅広部とにより形成され、
前記循環器は、前記ナット本体の前記組立スロットにおいて、前記循環器の形状が前記組立スロットの形状に対応するものであり、且つ前記循環器の前記内環壁に面する側にはガイドスロットが形成され、前記ガイドスロットと前記ボールスロットでボール循環チャネルを形成し、
前記複数のボールは、前記ボール循環チャネル内で転がるように移動することができる
ことを特徴とするボールねじ装置。
【請求項５】
前記循環器は径方向に沿った断面の形状が酒瓶の形状、Ｔ字型を逆さにした形状、又は鳩の尻尾の形状である
ことを特徴とする請求項４に記載のボールねじ装置。
【請求項６】
前記循環器は、前記ナット本体の前記組立スロットに接着剤で固定される
ことを特徴とする請求項４に記載のボールねじ装置。
【考案の詳細な説明】
【技術分野】
【０００１】
本考案は、ナット及びボールねじ装置に関し、特に循環器の径方向への変位を避けることができるナット及びそれを使用したボールねじ装置に関する。
【背景技術】
【０００２】
ボールねじ構造では、ボールがナット内を循環して転がることができるようにするために、ナットの内側に内部循環器が設けられている。
【０００３】
ここで、この内部循環器の取り付けには種々の方式がある。たとえば、ナットの壁に放射状のミシン目（穿孔）を入れてから、内部循環器をミシン目に挿入し、ロックし、又はクランプで固定する方法が挙げられる。
【０００４】
その他には、ナットの内壁に設けられた直線状の長溝を用いて内部循環器をこの直線状の長溝に挿入し、ボルトや、ねじによるロック、又は接着剤を塗布する方法により固定することもできる。
【考案の概要】
【考案が解決しようとする課題】
【０００５】
しかしながら、ねじを使って締めるタイプ、ピンタイプ、孔を開けて固定するタイプ、又は接着剤を使用するタイプの場合、組み立てられた内部循環器が径方向に僅かに移動してしまう場合があり、そのため、スムーズに回転移動させることができない場合がある。
【０００６】
また、このタイプの内部循環ナットは、その多くが小さめのナットであるため、ナットのサイズ自体が非常に小さい場合には、ねじ、ピン、又はミシン目を、この非常に小さいサイズのナットに併せて更に小さくすれば、理論的には循環器をナットに組み込むことができる。
【０００７】
しかし、この方法では全体的に小さな構成部品同士を組み立てなければならないので、組み立て作業に緻密さが要求されて組立が困難となってしまう。本考案はこれらの問題に鑑みて、以下の構成を備える。
【課題を解決するための手段】
【０００８】
上記の問題に鑑みて本考案は以下の構成を備える。
【０００９】
本考案によるナットは、ナット本体と、循環器とを備えたナットであって、
前記ナット本体は、内環壁と、ボールスロットと、組立スロットとを備え、
前記ボールスロットは、前記内環壁に環状に設けられ、
前記組立スロットは、前記内環壁の軸方向に沿って設けられ、且つ前記ナット本体の軸方向における二つの端部を貫通し、
前記ナット本体を軸方向の端部から観た場合、前記組立スロットの前記ナット本体における径方向に沿った断面の形状は、前記内環壁側に位置する幅狭部と、前記幅狭部よりも幅が広く且つ前記幅狭部よりも前記内環壁から離れた側に位置する幅広部とにより形成され、
前記循環器は、前記ナット本体の前記組立スロットにおいて、前記循環器の形状が前記組立スロットの形状に対応するものであり、且つ前記循環器の前記内環壁に面する側にはガイドスロットが形成され、
前記ガイドスロットと前記ボールスロットでボール循環チャネルを形成する。
【００１０】
また、前記循環器は径方向に沿った断面の形状が酒瓶の形状、Ｔ字型を逆さにした形状、又は鳩の尻尾の形状である。
【００１１】
また、前記循環器は、前記ナット本体の前記組立スロットに接着剤で固定される。
【００１２】
更に、本考案によるボールねじ装置は、ねじと、ナットを備えたボールねじ装置であって、
前記ねじは、レールスロットを備え、
前記ナットは、前記ねじに回転可能に取り付けられ、
前記ナットは、
ナット本体と、循環器と、複数のボールとを備え、
前記ナット本体は、内環壁と、ボールスロットと、組立スロットとを備え、
前記ボールスロットは、前記内環壁に環状に設けられ、
前記組立スロットは、前記内環壁の軸方向に沿って設けられ、且つ前記ナット本体の軸方向における二つの端部を貫通し、
前記ナット本体を軸方向の端部から観た場合、前記組立スロットの前記ナット本体における径方向に沿った断面の形状は、前記内環壁側に位置する幅狭部と、前記幅狭部よりも幅が広く且つ前記幅狭部よりも前記内環壁から離れた側に位置する幅広部とにより形成され、
前記循環器は、前記ナット本体の前記組立スロットにおいて、前記循環器の形状が前記組立スロットの形状に対応するものであり、且つ前記循環器の前記内環壁に面する側にはガイドスロットが形成され、前記ガイドスロットと前記ボールスロットでボール循環チャネルを形成し、
前記複数のボールは、前記ボール循環チャネル内で転がるように移動することができる。
【００１３】
また、前記循環器は径方向に沿った断面の形状が酒瓶の形状、Ｔ字型を逆さにした形状、又は鳩の尻尾の形状である。
【００１４】
また、前記循環器は、前記ナット本体の前記組立スロットに接着剤で固定される。
【本考案の効果】
【００１５】
以上の様に、本考案によるナットとボールねじ装置は、ナット本体の内環壁側に幅狭部が形成されると共に、該内環壁から前記幅狭部よりも離れた側に、前記幅狭部と連接された幅広部が形成されることによって構成される組立スロットの形状に対応した循環器が使用される。
【００１６】
そして、循環器をナット本体の一端側から他端側へ通過させるときは、組立スロットの幅狭部によって径方向への移動が制限された状況下でナット本体に対して循環器が組み立てられる。このため、循環器がナット本体の内環壁側に向かって径方向に変位することを防止できる。
【００１７】
よって、循環器を実装するとき、循環器をナット本体の軸方向へ向けて組立スロットに挿入するだけで、直ぐにナット本体と循環器を組み立てることができる。
【００１８】
このため、固定用のねじやボルト等の更なる部品を必要とせずに循環器が径方向に外れるのを防ぐことができる。また、幅狭部によって移動が制限されるので径方向への僅かな動きをも更に軽減することができる。
【００１９】
さらに、たとえ非常に小さなナットであっても、この小さなナットのサイズに併せたねじ、ピン、又はミシン目を準備する必要がないので、循環器を非常に小さなナットに取り付ける困難さを軽減することができる。
【図面の簡単な説明】
【００２０】
【図１】本考案の第１の実施形態を説明するボールねじ装置の斜視図である。
【図２】本考案の第１の実施形態を説明するボールねじ装置の分解斜視図である。
【図３】本考案の第１の実施形態を説明するものであり、図２に示したナットの軸方向に沿った３−３断面図である。
【図４】本考案の第１の実施形態を説明する軸方向の一端側から見たナット本体の形状を示す図である。
【図５】本考案の第２の実施形態を説明する軸方向の一端側から見たナット本体の形状を示す図である。
【図６】本考案の第３の実施形態を説明する軸方向の一端側から見たナット本体の形状を示す図である。
【考案を実施するための形態】
【００２１】
以下、図面を参照しながら本考案の特徴と優れた点を説明する。その内容は、本考案の技術分野に関連する技術に精通している当業者であれば技術的内容を理解し得るものである。また、その記載内容に基づいて本考案を使用した製品を製造し、実施するのに十分である。また、本考案の明細書、実用新案登録の範囲又は図面に記載されているように、当業者であれば、本考案の目的、作用効果、実施方法、利点のいずれをも容易に理解することができる。
【００２２】
図１〜図４を参照して本考案の第１の実施形態を説明する。ここで、図１は本考案の第１の実施形態を説明するボールねじ装置の斜視図であり、図２は本考案の第１の実施形態を説明するボールねじ装置の分解斜視図である。また、図３は本考案の第１の実施形態を説明するものであり、具体的には図２に示したナットの軸方向に沿った３−３断面図である。また、図４は本考案の第１の実施形態を説明する軸方向の一端側から見たナット本体の形状を示す図である。
【００２３】
ここで、図３が示している断面図は以下の内容を表している。まず、図３が一般的な図２の３-３線に沿った単なる断面図であればナット本体２１しか図３に表示されない。
【００２４】
しかし、図３で表したいものは、図３に一対のエンドキャップ４０に加えて、ガイドスロット２２１が示されていることから明らかなように、一旦、図２の３-３線で切り取り、この切り取った位置（垂直方向における高さ）で、一対のエンドキャップ４０やガイドスロット２２１を全て表示することができるように、ナット本体２１の延伸方向（組立スロット２１５の延伸方向でもある）に沿って表示したものである。
【００２５】
誤解を恐れずにざっくりと掻い摘んで言うと、図３は、本来的にはナット本体２１の延伸方向（組立スロット２１５の延伸方向、及び循環器２２の挿入方向でもある）の断面図を表したものであるが、その際に、管状のナット本体２１の「上側半分」は断面を見る際に際に邪魔になるので図２の３-３線で切り取って、どけてもらった状態でみるものである。
【００２６】
図１と図２から明らかなように、本実施形態のボールねじ装置１００は、ねじ１０と、ナット２０と、複数のボール３０を備える。なお、図２から明らかなように複数のボール３０は数珠つなぎにされて円環を形成しているが、これは１セットのボール３０を例示した物に過ぎない。
【００２７】
図１から明らかなように、ねじ１０には、その外周にレールスロット１１が形成され、ナット２０がねじ１０に回転可能に取り付けられている。レールスロット１１と後述するボール循環チャネルはボール循環通路を形成する。なお、他の実施形態において、ねじ１０は表面が滑らかな円柱でも差し支えなく、必ずしもレールスロット１１を必要とするものではない。
【００２８】
図２と図３から明らかなように、ナット２０は、ナット本体２１と循環器２２を備える。ナット本体２１は、軸方向に沿った２つの端部がそれぞれ第１の端部２１１、第２の端部２１２となっている。ナット本体２１は、内環壁２１３、ボールスロット２１４、及び組立スロット２１５を備える。
【００２９】
ボールスロット２１４は、略円筒状に形成されたナット本体２１の内壁である内環壁２１３に環状に設けられる。また、図２と図３から明らかなように、組立スロット２１５は、内環壁２１３に軸方向に延伸するように形成され、ナット本体２１の両端を軸方向に沿って貫通している。すなわち、組立スロット２１５は、ナット本体２１の第１の端部２１１と第２の端部２１２の間を貫通している。
【００３０】
図２から図４に示すように、ナット本体２１の軸方向の一端側から見た場合（図４は第１の端部２１１側から見た場合である。）、組立スロット２１５は、ナット本体２１の径方向における断面の形状に幅狭部２１５１と幅広部２１５２を有する。ここで、幅狭部２１５１の幅は幅広部２１５２よりも狭く形成されており、且つ、幅狭部２１５１は幅広部２１５２よりも内環壁２１３側に位置する。
【００３１】
具体的には、図４から明らかなように、ナット本体２１の第１の端部２１１側から見ると、組立スロット２１５の形状は、略酒瓶型（酒瓶の形状）である。ここでいう酒瓶型とは、要するに内環壁２１３側の幅が狭く、そのままの幅を保ったまま所定の距離だけ内環壁２１３から延伸するように離間し、その後幅広に形成されることをいう。
【００３２】
そして、組立スロット２１５は幅狭部２１５１と幅広部２１５２を有し、幅狭部２１５１は幅広部２１５２よりも内環壁２１３寄りに形成されている。また、幅狭部２１５１は幅ｄ１に形成されており、幅ｄ１は全ての幅狭部２１５１の中で最も狭い部分の幅であっても差し支えなく、幅ｄ１は幅狭部２１５１の内環壁２１３に連通する箇所の開口幅である。
【００３３】
幅広部２１５２は幅ｄ２に形成され、幅ｄ２は全ての幅広部２１５２の最も広い幅に形成されている。また、幅狭部２１５１の幅ｄ１は、幅広部２１５２の幅ｄ２より狭い。
【００３４】
続いて、図２から図４を参照して、循環器２２をナット本体２１の組立スロット２１５に取り付ける方法を説明する。ここで、循環器２２の形状は、組立スロット２１５の形状と対応している。
【００３５】
図２から明らかなように、循環器２２は長い棒状をしているが、循環器２２の径方向における断面の形状は、図４で確認できるように組立スロット２１５の形状と対応しており、酒瓶型に形成されている。
【００３６】
つまり、第１の端部２１１側から見た場合、循環器２２は組立スロット２１５と対応する形状をしており、循環器２２をスムーズに組立スロット２１５の内部に嵌合させるように差し込むことができる。
【００３７】
また、循環器２２は、組立スロット２１５の位置決め構造によって、ナット本体２１の径方向へ移動してしまうことが防止される。よって、循環器２２を組立スロット２１５から径方向に外れないようにすることができる。
【００３８】
図２と図３から明らかなように、循環器２２は内環壁２１３側にガイドスロット２２１が形成され、このガイドスロット２２１はボールスロット２１４と共にボール循環チャネルを形成する。
【００３９】
ナット２０がねじ１０に取り付けられたとき、ボール循環チャネルは、レールスロット１１と共にボール循環通路を形成し、複数のボール３０をボール循環通路内で転がるように移動させることができる。
【００４０】
このように、内環壁２１３側に幅狭部２１５１を有する組立スロット２１５と断面が該組立スロット２１５の断面形状と対応する循環器２２を利用することによって、循環器２２が組立スロット２１５の内部に差し込まれたとき、循環器２２は、幅狭部２１５１によって位置決めされ、ナット本体２１における内環壁２１３側への移動、つまり、径方向への移動が制限される。
【００４１】
また、循環器２２を取り付けたとき、循環器２２はナット本体２１の軸方向に沿って組立スロット２１５に差し込むだけで、組立が完了する。
【００４２】
このように、別途ねじやボルト等の部品を用いて固定しなくても、循環器２２が径方向にずれて脱落してしまうことを防止し得る。また、循環器２２は径方向への移動が幅狭部２１５１によって制限される。また、ねじやボルトを使用しないので、ナット２０のサイズが非常に小さい場合でも循環器２２が取り付け易い。
【００４３】
つづいて、図１〜図３を参照して本考案の実施形態を説明する。循環器２２は固定手段によってナット本体２１の組立スロット２１５に取り付けられる。本実施形態において、固定手段は一対のエンドキャップ４０であり、これらのエンドキャップをナット本体２１の両端に取り付ける。
【００４４】
第１の端部２１１にはエンドキャップ４０が取り付けられ、第２の端部にもエンドキャップ４０が取り付けられる。ここで、エンドキャップ４０は、リング状を呈したワッシャーであっても良い。このように、一対のエンドキャップによって組立スロット２１５の両側の端部が塞がれるので、循環器２２が軸方向に移動しにくい。
【００４５】
また、本実施形態において、一対のエンドキャップ４０は例示に過ぎず、一方の端部にだけにエンドキャップ４０を取り付けて、他端側については他の構造で軸方向へのずれを防止し、又は必要に応じて他端側には何も取り付けなくても差し支えない。
【００４６】
なお、本実施形態において、固定手段は必ずしもエンドキャップ４０を使用する必要はなく、接着剤を使用して循環器２２をナット本体２１の組立スロット２１５に取り付けても差し支えない。
【００４７】
接着剤を使用して固定しても、（その後に外しにくくはなるものの）、循環器２２の軸方向への移動を制限するという効果においてはワッシャーであるエンドキャップ４０よりも更に高い効果を発揮することができる。また、他の実施形態においてはエンドキャップ４０と接着剤による固定を併用しても良く、要するに軸方向への移動を制限できれば良い。
【００４８】
続いて、図５を参照して説明する。ここで、図５は本考案の第２の実施形態を説明する軸方向の一端側から見たナット本体２１の形状を示す図である。なお、図５に示す実施形態において、図１〜図４にて説明した第１の実施形態と同一の構成については同一の符号を付して説明を省略する。
【００４９】
本実施形態において、第１の実施形態と異なる点は、組立スロットと循環器の形状であり、図５から明らかなように断面視にて略台形となっている。
【００５０】
詳細には、図５から明らかなように、ナット本体２１の軸方向の一端から見た場合（なお、図５は第１の端部２１１側から見た図である。）、組立スロット２１５aはナット本体２１の径方向に沿った断面の形状が、第１の実施形態と同様に幅狭部２１５１ａと幅広部２１５２ａから構成されるが、幅狭部２１５１ａの幅は幅広部２１５２ａの幅より狭い。
【００５１】
詳細には、図５から明らかなように、ナット本体２１の第１の端部２１１側からみると、組立スロット２１５ａの形状は概ね鳩の尻尾のような形状をしており、つまり内環壁２１３側の幅が狭く内環壁２１３から離れた側の幅が広い台形である。また、組立スロット２１５ａは、幅狭部２１５１ａと幅広部２１５２ａを有し、幅狭部２１５１ａは幅広部２１５２ａよりも内環壁２１３寄りに位置する。
【００５２】
また、幅狭部２１５１ａは幅ｄ３の広さに設定されており、この幅ｄ３は全ての幅狭部２１５ａの最も狭い箇所の広さである。また、幅狭部２１５１ａは、内環壁２１３の箇所において開口している幅である。幅広部２１５２ａは幅ｄ４に設定されており、幅ｄ４は全ての幅広部２１５２ａにおける最も幅の広い箇所の幅である。そして、幅狭部２１５１ａの幅ｄ３は、幅広部２１５２ａ幅ｄ４より狭い。
【００５３】
循環器２２ａはナット本体２１の組立スロット２１５ａの内部に挿入されるように取り付けられる。また、循環器２２ａの形状は組立スロット２１５ａの形状と対応している。
【００５４】
図５から循環器２２ａは第１の端部２１１側から見た場合、その形状が組立スロット２１５ａの形状と対応する鳩の尻尾のような形状をしている。つまり、上述した略台形である。
【００５５】
そして、第１の実施形態と同様に、循環器２２ａの断面形状は、第１の端部２１１側から見た場合、循環器２２ａは組立スロット２１５ａと対応する形状をしており、循環器２２ａは組立スロット２１５ａにスムーズに差し込むことができる。
【００５６】
また、組立スロット２１５ａの位置決め効果によって、循環器２２ａの径方向への移動が制限され、組立スロット２１５ａから内環壁２１３側、つまり径方向に外れないようにできる。
【００５７】
図６を参照して説明する。図６は、本考案の第３の実施形態を説明するナットの軸方向の一方の端部から観た図である。なお、図６に示す実施形態でも、第１の実施形態又は第２の実施形態と同一の構成については同一の符号を付して説明を省略する。
【００５８】
本実施形態と第１の実施形態が異なるところは、組立スロットと循環器の形状であり、図６の断面図から明らかなように断面の形状が異なる。本実施形態では図６から明らかなように、ナット本体２１の軸方向の一方の端部から観た場合（図６では第１の端部２１１側から見ている）、組立スロット２１５ｂはナット本体２１の径方向に沿った断面の形状が第１の実施形態と同様に、幅狭部２１５１ｂと幅広部２１５２ｂを備えており、幅狭部２１５１ｂの幅は幅広部２１５２ｂの幅よりも狭い。
【００５９】
具体的には、図６から明らかなように、ナット本体２１の第１の端部２１１側から見た場合、組立スロット２１５ｂの形状は概ねＴ字型を逆さにしたような形状をしている。要するに、略「凸」字状である。そして、組立スロット２１５ｂは、幅狭部２１５１ｂと幅広部２１５２ｂを備える。幅狭部２１５１ｂは、幅広部２１５２よりも内環壁２１３側に位置する。
【００６０】
幅狭部２１５１ｂは幅ｄ５に設定され、この幅ｄ５は全ての幅狭部２１５１ｂにおける最も狭い箇所の幅であり、幅狭部２１５１ｂの広さは内環壁２１３側の開口幅である。
【００６１】
幅広部２１５２ｂは幅ｄ６に設定されており、幅ｄ６は全ての幅広部２１５２ｂにおける最も幅の広い箇所の幅である。そして、幅狭部２１５１ｂの幅ｄ５は、幅広部２１５２ｂの幅ｄ６よりも狭い。
【００６２】
循環器２２ｂはナット本体２１の組立スロット２１５ｂ内に設けられ、且つ循環器２２ｂの形状は組立スロット２１５ｂの形状と対応している。図６に示すように、循環器２２ｂは、第１の端部２１１側から見ると、その形状が組立スロット２１５ｂの形状と対応し、Ｔ字型を逆さにしたような形状であり、要するに略「凸」字状である。
【００６３】
また、同様にして、第１の端部２１１側から見ると、循環器２２ｂは組立スロット２１５ｂに対応する形状をしており、循環器２２ｂを組立スロット２１５ｂ内にスムーズに挿入することができる。また、組立スロット２１５ｂの位置決め機能によって、径方向への移動が制限されるので、循環器２２ｂは組立スロット２１５ｂから内環壁２１３側に外れにくい。
【００６４】
本考案は上述の実施形態を説明したが、これらの実施形態は本考案の範囲を限定するものではなく、当業者が本考案の精神から逸脱しない範囲内である限り、軽微な変更や付加を加えたとしても本考案の技術的範囲に含まれるものとする。また、本考案の技術的範囲は、実用新案登録請求の範囲の記載に基づいて定められるものとする。
【符号の簡単な説明】
【００６５】
１００  ボールねじ装置
１０    ねじ
１１    レールスロット
２０    ナット
２１    ナット本体
２１１  第１の端部
２１２  第２の端部
２１３  内環壁
２１４  ボールスロット
２１５、２１５ａ、２１５ｂ  組立スロット
２１５１、２１５１ａ、２１５１ｂ  幅狭部
２１５２、２１５２ａ、２１５２ｂ  幅広部
２２、２２ａ、２２ｂ  循環器
２２１    ガイドスロット
３０      ボール
４０      エンドキャップ
【図１】
0003234523.tif 000003
【図２】
0003234523.tif 000004
【図３】
0003234523.tif 000005
【図４】
0003234523.tif 000006
【図５】
0003234523.tif 000007
【図６】
0003234523.tif 000008